【手続補正書】
【提出日】平成20年9月10日(2008.9.10)
【手続補正１】
【補正対象書類名】明細書
【補正対象項目名】発明の名称
【補正方法】変更
【補正の内容】
【発明の名称】機器情報登録方法
【手続補正２】
【補正対象書類名】明細書
【補正対象項目名】特許請求の範囲
【補正方法】変更
【補正の内容】
【特許請求の範囲】
【請求項１】
機器の使用者に対し、使用者端末を用いて、その機器の機器提供者が運営するホームページにアクセスすることを促すアクセス段階と、
前記ホームページ上で示される画面の指示に従って、使用者端末を用いて、前記使用者に当該使用者自身の個人情報および使用する機器を特定するための機器特定情報の入力を促す入力段階と、
前記入力段階で入力された個人情報および機器特定情報を、前記使用者端末から前記機器提供者に送信させる送信段階と
を有する機器情報登録方法。
【請求項２】
前記機器特定情報が、機器が製造された時期を示す機器製造情報を含むことを特徴とする請求項１に記載の方法。
【請求項３】
前記機器特定情報が、機器を構成する部品を特定する部品特定情報を含むことを特徴とする請求項１に記載の方法。
【請求項４】
前記機器特定情報が、機器を構成する部品が製造された時期を示す部品製造情報を含むことを特徴とする請求項１に記載の方法。
【請求項５】
前記機器特定情報が、機器を構成する外装を特定する外装特定情報を含むことを特徴とする請求項１に記載の方法。
【請求項６】
前記入力段階では、当該機器特定情報が付された場所を使用者に案内する表示を、前記使用者端末にて行うことを特徴とする請求項１から５のいずれか１項に記載の方法。
【請求項７】
前記入力段階では、当該機器特定情報が付された場所を案内する画像を、前記使用者端末に送ることを特徴とする請求項６に記載の方法。
【請求項８】
前記入力段階では、使用者に任意の認証データの入力を促すことを特徴とする請求項１から７のいずれか１項に記載の方法。
【請求項９】
前記送信段階にて送信された個人情報および機器特定情報を機器提供者側の登録用データベースに蓄積して登録した後に、登録された内容を、使用者を識別するための識別データとともに、前記使用者端末に送信することを特徴とする請求項１から８のいずれか１項に記載の方法。
【請求項１０】
前記送信段階にて送信された機器特定情報が、前記機器提供者側の製造管理データベースにて予め蓄積された機器特定情報と合致するか否かを判別する機器特定情報判別段階を設けて、
前記二つの機器特定情報が合致する場合にのみ、前記登録用データベースに当該機器特定情報およびこの機器特定情報と一緒に送られた個人情報を登録することを特徴とする請求項９に記載の方法。
【請求項１１】
さらに別の機器に関する追加機器特定情報を、前記使用者端末を用いた入力を促す追加登録段階を含むことを特徴とする請求項１、８または９に記載の方法。
【請求項１２】
前記追加登録段階では、個人情報の入力に換えて、使用者を識別する識別データおよび必要に応じて認証データの入力を促す識別データ入力段階を有することを特徴とする請求項１１に記載の方法。
【請求項１３】
前記追加登録段階では、前記識別データ入力段階で入力された識別データおよび必要に応じて認証データを、前記機器提供者側の登録用データベースに蓄積された識別データおよび必要に応じて認証データと合致するか否かの識別データ判別段階を設けて、
前記二つの識別データおよび必要に応じて認証データが合致する場合にのみ、前記追加機器特定情報を前記登録用データベースに蓄積することを特徴とする請求項１２に記載の方法。
【請求項１４】
一度、個人情報の登録を済ませた使用者の識別データの検索および／または認証データの通知を行う検索／通知段階を有することを特徴とする請求項８または９に記載の方法。
【請求項１５】
前記検索／通知段階を行うに際し、予め登録された個人情報の少なくとも一部を使用者に入力を促す個人情報入力段階を設けることを特徴とする請求項１４に記載の方法。
【請求項１６】
前記機器が時計であることを特徴とする請求項１から１５のいずれか１項に記載の方法。
【請求項１７】
前記機器特定情報が、前記時計のムーブメントを特定するムーブメント特定情報を含むことを特徴とする請求項１６に記載の方法。
【請求項１８】
前記入力段階では、前記ムーブメント特定情報を時計の表示部に表示させる操作を案内する表示を、前記使用者端末にて行うことを特徴とする請求項１７に記載の方法。
【手続補正３】
【補正対象書類名】明細書
【補正対象項目名】０００１
【補正方法】変更
【補正の内容】
【０００１】
【発明の属する技術分野】
本発明は、機器を使用する使用者が、その機器の提供者あるいは製造者に対して使用者登録する方法に関する。
【手続補正４】
【補正対象書類名】明細書
【補正対象項目名】０００９
【補正方法】変更
【補正の内容】
【０００９】
【課題を解決するための手段】
本発明に係る機器情報登録方法は、上述した問題を解決するために、機器の使用者に対し、使用者端末（使用者自身が使用する端末のことをいう）を用いて、その機器の機器提供者が運営するホームページにアクセスすることを促すアクセス段階と、
前記ホームページ上で示される画面の指示に従って、使用者端末を用いて、前記使用者に当該使用者自身の個人情報および使用する機器を特定するための機器特定情報の入力を促す入力段階と、
前記入力段階で入力された個人情報および機器特定情報を、前記使用者端末から前記機器提供者に送信させる送信段階と
を有するものである。
【手続補正５】
【補正対象書類名】明細書
【補正対象項目名】００１０
【補正方法】変更
【補正の内容】
【００１０】
また、前記機器特定情報が、機器が製造された時期を示す機器製造情報を含むことが好ましい。
前記機器特定情報が、機器を構成する部品を特定する部品特定情報を含むことが好ましい。
前記機器特定情報が、機器を構成する部品が製造された時期を示す部品製造情報を含むことが好ましい。
【手続補正６】
【補正対象書類名】明細書
【補正対象項目名】００１１
【補正方法】変更
【補正の内容】
【００１１】
前記機器特定情報が、機器のムーブメントを特定するムーブメント特定情報を含むことが好ましい。特に、前記入力段階において、前記ムーブメント特定情報を機器の表示部に表示させる操作を案内する表示を、前記使用者端末にて行うことが好ましい。
前記機器特定情報が、機器を構成する外装を特定する外装特定情報を含むことが好ましい。
【手続補正７】
【補正対象書類名】明細書
【補正対象項目名】００１２
【補正方法】変更
【補正の内容】
【００１２】
また、前記入力段階では、当該機器特定情報が付された場所を使用者に案内する表示を、前記使用者端末にて行うことが好ましい。特に、当該機器特定情報が付された場所を案内する画像を、前記使用者端末に送ることが好ましい。
前記入力段階では、使用者に任意の認証データの入力を促すことが好ましい。
【手続補正８】
【補正対象書類名】明細書
【補正対象項目名】００１３
【補正方法】変更
【補正の内容】
【００１３】
また、前記送信段階にて送信された個人情報および機器特定情報を機器提供者側の登録用データベースに蓄積して登録した後に、登録された内容を、使用者を識別するための識別データとともに、前記使用者端末に送信することが好ましい。
さらに、前記送信段階にて送信された機器特定情報が、前記機器提供者側の製造管理データベースにて予め蓄積された機器特定情報と合致するか否かを判別する機器特定情報判別段階を設けて、
前記二つの機器特定情報が合致する場合にのみ、前記登録用データベースに当該機器特定情報およびこの機器特定情報と一緒に送られた個人情報を登録することが好ましい。
【手続補正９】
【補正対象書類名】明細書
【補正対象項目名】００１４
【補正方法】変更
【補正の内容】
【００１４】
また、さらに別の機器に関する追加機器特定情報を、前記使用者端末を用いた入力を促す追加登録段階を含むことが好ましい。
さらに、前記追加登録段階では、個人情報の入力に換えて、使用者を識別する識別データおよび必要に応じて認証データの入力を促す識別データ入力段階を有することが好ましい。
【手続補正１０】
【補正対象書類名】明細書
【補正対象項目名】００１５
【補正方法】変更
【補正の内容】
【００１５】
特に、前記追加登録段階では、前記識別データ入力段階で入力された識別データおよび必要に応じて認証データを、前記機器提供者側の登録用データベースに蓄積された識別データおよび必要に応じて認証データと合致するか否かの識別データ判別段階を設けて、
前記二つの識別データおよび必要に応じて認証データが合致する場合にのみ、前記追加機器特定情報を前記登録用データベースに蓄積することが好ましい。
【手続補正１１】
【補正対象書類名】明細書
【補正対象項目名】００１７
【補正方法】変更
【補正の内容】
【００１７】
【発明の実施の態様】
以下、本発明の実施態様について、図面を参照しながら詳細に説明する。
前記実施態様は、例えば図１に示したように、時計の使用者に対し、使用者自身の端末（以下、「使用者端末」または「ユーザ端末」という）を用いて、その時計の時計提供者が運営するホームページにアクセスすることを促すアクセス段階であるステップＳ２０と、前記ホームページ上で示される画面の指示に従って、使用者端末を用いて、前記使用者に当該使用者自身の個人情報および使用する時計を特定するための時計特定情報の入力を促す入力段階であるステップＳ３０およびＳ４０と、前記入力段階で入力された個人情報および時計特定情報を、前記使用者端末から前記時計提供者に送信させる送信段階であるステップＳ５０とを有するものである。
【手続補正１２】
【補正対象書類名】明細書
【補正対象項目名】００７３
【補正方法】変更
【補正の内容】
【００７３】
【発明の効果】
本発明によれば、ユーザの個人情報および機器特定情報の登録を容易に正確に行うことが可能になる。